(57)【特許請求の範囲】
【請求項１】
ロール紙収納部と、
このロール紙収納部内において、当該ロール紙収納部に収納されるロール紙の一方の端面に対峙可能な位置に配置されている規制部材と、
この規制部材を、ロール紙収納部に収納されるロール紙の端面に向かう方向に付勢している付勢部材とを有し、
前記ロール紙収納部は、ロール紙を、当該ロール紙収納部の底面上に転動可能に乗せた状態で収納し、当該ロール紙収納部の両側面は、複数のロール紙ガイド対によって規定され、各ロール紙ガイド対の間隔は、ロール紙の回転方向に沿って見た場合に、印字位置に近づくにつれて段階的に狭まり、隣接するロール紙ガイド対の間には、ロール紙収納部の幅方向に段差が付いており、
前記規制部材は、ロール紙の回転方向に沿って見た場合に、印字位置から最も離れている前記ロール紙ガイド対における一方のロール紙ガイドの近傍位置に配置されていることを特徴とするロール紙プリンタ。
【請求項２】
請求項１において、
前記規制部材と、前記印字位置から最も離れている前記ロール紙ガイド対における一方のロール紙ガイドとが共通部品から形成されていることを特徴とするロール紙プリンタ。
【請求項３】
請求項１または２において、
前記規制部材は、前記ロール紙収納部に収納されるロール紙の端面における外周側の部位にのみ対峙可能な位置に配置されていることを特徴とするロール紙プリンタ。
【請求項４】
請求項３において、
前記印字位置は、前記ロール紙収納部の上方に位置しており、
前記規制部材は、前記ロール紙収納部の上下方向に延びており、その上端部がロール紙収納部の幅方向に揺動可能であり、
前記付勢部材は、前記上端部を前記ロール紙収納部の幅方向の内方に付勢していることを特徴とするロール紙プリンタ。
【請求項５】
請求項４において、
前記ロール紙収納部のロール紙出し入れ口を開閉するための開閉蓋を有し、
この開閉蓋に、印字位置から最も離れている前記ロール紙ガイド対、前記規制部材、および前記付勢部材が搭載されていることを特徴とするロール紙プリンタ。
【発明の詳細な説明】
【技術分野】
【０００１】
本発明は、転動自在の状態でロール紙収納部に収納されているロール紙から巻き出される長尺状の記録紙に印字を行うロール紙プリンタに関し、特に、ロール紙収納部内において巻き出し方向にほぐれたロール紙の外周側の部分が幅方向にずれることに起因する弊害を防止するための改良技術に関する。
【背景技術】
【０００２】
転動自在の状態でロール紙収納部に収納されているロール紙から巻き出される長尺状の記録紙に印字を行うロール紙プリンタでは、ロール紙の巻き出し動作の間にロール紙の慣性力に起因して、ロール紙の外周側に巻き付けられている記録紙の部分がほぐれて、外側に弛んだ状態になる場合がある。
【０００３】
ロール紙収納部の両側面が、平坦なガイド面によって一定の間隔で精度良く規定されている場合には、ほぐれたロール紙の外周側の部分が幅方向に大きくずれて斜行状態に陥ることはない。しかしながら、ロール紙収納部の側面が、単一の平坦なガイド面によって規定されておらず、複数のロール紙ガイドによって規定されている場合には、ほぐれて弛んだロール紙の外周側の部分が幅方向に大きくずれて斜行状態に陥り、ロール紙の縁端部分がロール紙ガイドの縁に引っ掛かり、折れ曲がりながら送り出されるという不具合が発生する可能性がある。
【０００４】
すなわち、ロール紙収納部の側面が複数のロール紙ガイドによって規定されている場合には、ロール紙の回転方向（記録紙の巻き出し方向）に沿って配置されている左右のロール紙ガイド対の間隔は、ロール紙の回転方向に沿って、段階的に狭まり、印字位置近傍の最も下流側に位置するロール紙ガイド対の間隔が最も狭くなるように設定される。このように記録紙の送り出し方向に沿ってロール紙ガイド対の間隔を狭めることにより、ロール紙の幅方向の位置決めが搬送に伴って徐々に行われ、幅方向の位置決めが精度良く行われた状態で記録紙を印字位置に送り込むことができる。
【０００５】
この場合、上流側の広い間隔のロール紙ガイド対の部分では、ロール紙の幅方向の規制が緩いので、ロール紙の外周側の部分がほぐれて弛むと、幅方向に大きくずれ易い。幅方向にずれると、記録紙が、広い間隔のロール紙ガイド対から狭い間隔のロール紙ガイド対に向けて斜行状態で送り出される。
【０００６】
これら広い間隔のロール紙ガイド対と、狭い間隔のロール紙ガイド対の間には、記録紙の送り出し方向の手前側から見た場合に、ロール紙収納部の幅方向の内方に突出した段差が付いた状態となっている。したがって、斜行状態で送り出される記録紙は、その一方の縁端部分が、かかる段差に掛かった状態になる。このため、段差に掛かっている記録紙の縁端部分が折れ曲がり、折り目が付いた状態になることがある。特に、腰の弱い薄い記録紙の場合には折れ曲がりが発生し易い。
【０００７】
ここで、ロール紙から巻き出される記録紙の幅方向の位置決めは一般に、片側基準、すなわち、幅方向の一方の側のガイド面によって規定される。この場合においても、複数のロール紙ガイドによって片側基準面を形成する場合には、記録紙の送り出し方向に沿って公差分の段差をつけた状態でロール紙ガイドが配置される。したがって、記録紙が斜行状態に陥ると、段差に縁端部分が掛かり、折れ曲がりが発生する可能性がある。
【０００８】
従来において、ロール紙から巻き出される記録紙が斜行状態に陥ることを防止するため
の機構としては、特許文献１、２に開示のものがある。
【０００９】
特許文献１では、ロール紙などのロール状プリント媒体の幅方向の位置規制を行うために、単一の部材である紙ガイドにより形成した平坦な位置規制面を用いている。特許文献２では、ロール紙の上からコの字状の枠（一対のガイド部材および当接部材）を上下に揺動可能な状態で被せ、この枠によってロール紙の巻き出し部分が幅方向にずれることを防止している。
【特許文献１】特開平８−１３３５４０号公報
【特許文献２】特開平９−２５５１９６号公報
【発明の開示】
【発明が解決しようとする課題】
【００１０】
特許文献１に開示の機構は、単一の紙ガイドを用いるものであり、ロール紙収納部の両側面が複数のロール紙ガイド対によって規定され、それらの間の段差が付いている場合における記録紙の斜行状態を回避するために用いることができない。
【００１１】
特許文献２に開示の機構ではコの字状の枠を用いている。しかしながら、小型のロール紙プリンタにおいては、ロール紙収納部内において、このようにロール紙の上側に被せる大きさの枠を配置するスペースを確保できない場合が多い。また、このような枠を被せると、ロール紙から記録紙を巻き出すための搬送抵抗も大きくなり、また、ロール紙の状態に応じて搬送抵抗の変動も大きくなる。このため、記録紙の送りピッチが変動するなどの問題点がある。
【００１２】
本発明の課題は、このような点に鑑みて、ロール紙収納部の両側面を規定しているロール紙ガイドの段差に引っ掛かりが生ずるようなロール紙の斜行状態を、簡単な機構により防止できるようにしたロール紙プリンタを提案することにある。
【課題を解決するための手段】
【００１３】
上記の課題を解決するために、本発明のロール紙プリンタは、ロール紙収納部と、このロール紙収納部内において、当該ロール紙収納部に収納されるロール紙の一方の端面に対峙可能な位置に配置されている規制部材と、この規制部材を、ロール紙収納部に収納されるロール紙の端面に向かう方向に付勢している付勢部材とを有し、前記ロール紙収納部は、ロール紙を、当該ロール紙収納部の底面上に転動可能に乗せた状態で収納し、当該ロール紙収納部の両側面は、複数のロール紙ガイド対によって規定され、各ロール紙ガイド対の間隔は、ロール紙の回転方向に沿って見た場合に、印字位置に近づくにつれて段階的に狭まり、隣接するロール紙ガイド対の間には、ロール紙収納部の幅方向に段差が付いており、前記規制部材は、ロール紙の回転方向に沿って見た場合に、印字位置から最も離れている前記ロール紙ガイド対における一方のロール紙ガイドの近傍位置に配置されていることを特徴としている。
【００１４】
ロール紙収納部にロール紙を収納すると、上流側の最も間隔の広いロール紙ガイド対の近傍位置に配置されている規制部材が、ロール紙の一方の端面に対峙した状態になる。下流側の印字位置に向けてロール紙から記録紙を引き出すと、ロール紙が上下に移動しながらそこから記録紙が巻き出され、ロール紙の外周側の部分がほぐれて外側に弛んだ状態になる。最も間隔の広いロール紙ガイド対によって幅方向の位置が規制されているロール紙の両端部分では、弛んだロール紙の部分が幅方向にずれ易い。
【００１５】
しかしながら、規制部材がロール紙の一方の端面に対峙しており、幅方向にずれようとするロール紙の部分に当たり、横方向のずれを規制する。よって、ロール紙からほぐれた記録紙が幅方向に大きくずれてしまうことが防止される。この結果、ロール紙から巻き出
される記録紙が斜行状態に陥り、その縁端がロール紙ガイド対の間の段差に掛かって折れ曲がってしまうという弊害を回避できる。
【００１６】
ここで、前記規制部材と、前記印字位置から最も離れている前記ロール紙ガイド対における一方のロール紙ガイドとを、共通部品とすることができる。
【００１７】
また、ロール紙の交換直後などではロール紙の径が大きいため、そのイナーシャ（慣性力）が大きい状態にあり、ロール紙の外周部分に弛みが発生しやすい。そこで、前記規制部材は、前記ロール紙収納部に収納されるロール紙の端面における外周側の部位にのみ対峙可能な位置に配置しておけばよい。
【００１８】
さらに、本発明において、前記印字位置が前記ロール紙収納部の上方に位置している場合には、前記規制部材を、前記ロール紙収納部の上下方向に延びるように配置し、その上端部をロール紙収納部の幅方向に揺動可能とし、前記付勢部材によって、前記上端部を前記ロール紙収納部の幅方向の内方に付勢しておけばよい。
【００１９】
次に、ロール紙収納部のロール紙出し入れ口を開閉するための開閉蓋を有している場合には、この開閉蓋に、印字位置から最も離れている前記ロール紙ガイド対と、前記規制部材および前記付勢部材とを搭載しておくことができる。
【発明の効果】
【００２０】
本発明のロール紙プリンタでは、ロール紙収納部内において、最も広い間隔のロール紙ガイド対によって両側の位置が規定されている部分に、ロール紙の一方の端面に対峙する規制部材が配置されており、当該規制部材によって、ロール紙から巻き出される記録紙の部分が幅方向に大きくずれることが防止される。よって、巻き出される記録紙が大きく斜行して、ロール紙ガイド対の間の段差に縁端が掛かって折れ曲がるという弊害を回避できる。
【００２１】
また、規制部材によってロール紙の幅方向のずれが抑制されるので、各ロール紙ガイド対の部品精度、組付け精度を緩和でき、また、各ロール紙ガイド対の間隔調整も容易になる。
【００２２】
さらに、ロール紙収納部内において、ロール紙の端面における外周側の部位に当接可能な大きさの規制部材を配置するだけでよいので、当該規制部材の設置スペースは少なくて済む。よって、設置スペースを確保できない、あるいは、設置スペースを確保するためにロール紙収納部の寸法増加を招くといった弊害も発生しない。
【００２３】
さらには、付勢部材によって付勢された規制部材を配置するだけでよいので、ロール紙の斜行を防止あるいは抑制するための機構を簡単かつ廉価に構成でき、ロール紙プリンタのコスト高も抑制できる。
【発明を実施するための最良の形態】
【００２４】
以下に、図面を参照して、本発明を適用したロール紙プリンタの実施の形態を説明する。
【００２５】
（全体構成）
図１は本発明を適用したロール紙プリンタの外観斜視図であり、図２はその内部構造を示す概略構成図である。ロール紙プリンタ１は、プリンタ本体２と、その前面に取り付けた開閉蓋ユニット３（開閉蓋）を有しており、プリンタ本体２の前面の端には操作パネルユニット４が取り付けられている。プリンタ前面における開閉蓋ユニット３の上端部分に
は、プリンタ幅方向に延びる記録紙排出口５が形成されている。
【００２６】
図１に示すように、プリンタ本体２は、前面および底面が開口した前後に長いボックス形状の本体ケース６によって覆われている。開閉蓋ユニット３の前面には、プリンタ前面を規定している開閉蓋ケース７が取り付けられている。開閉蓋ユニット３は、操作パネルユニット４の側に配置されている操作レバー８を操作すると、不図示の蓋ロックが解除されて下端部を中心として回転し前方に開くようになっている。開閉蓋ユニット３が開くと、内部に形成されているロール紙収納部９の前面側のロール紙出し入れ口９ａが開放状態となり、ロール紙１０の交換作業などを行うことができる。操作パネルユニット４の前面には、ＬＥＤなどからなる状態表示ランプ群４ａ、フィードボタン４ｂ、電源スイッチ４ｃが配置されている。
【００２７】
図２に示すように、ロール紙収納部９には、転動自在の状態でロール紙１０が収納される。ロール紙収納部９の上方前側の部位には、プラテンローラ１１が配置されており、このプラテンローラ１１が、プリンタ本体２側の上側に位置するサーマルヘッド１２の印字面に下側から押し付けられている。ロール紙収納部９に収納されたロール紙１０は、プラテンローラ１１の回転によって、矢印Ａで示す方向に回転しながら、そこから記録紙１０ａがプラテンローラ１１とサーマルヘッド１２に狭持されながら引き出され、プラテンローラ１１とサーマルヘッド１２の間の印刷位置Ｂを通過し、その前方に位置している記録紙排出口５から排出される。記録紙排出口５の手前には鋏式の記録紙切断装置１３が配置されている。記録紙切断装置１３は、プリンタ本体２の側に搭載されている固定刃１４と、開閉蓋ユニット３の側に搭載されている可動刃１５および可動刃駆動機構１６とを有している。下側の可動刃１５を上方に旋回させることにより、両刃１４、１５によって挟まれた記録紙１０ａの部位がプリンタ幅方向に切断される。
【００２８】
図３はロール紙収納部９を示す部分概略側面図である。図２および図３を参照して説明すると、ロール紙プリンタ１の内部に形成されているロール紙収納部９は、ロール紙１０の形状に沿って、プリンタ幅方向に延びる円弧状の底板２１、同じくプリンタ幅方向に延びる円弧状の天板２２、および、同じくプリンタ幅方向に延びる前板２３によって囲まれている。
【００２９】
また、底板２１の両側にはロール紙ガイド２４、２５（図においてはロール紙ガイド２４のみを示す。）が配置されている。天板２２の両側にもロール紙ガイド２６、２７（図においてはロール紙ガイド２６のみを示す。）が配置されている。さらに、前板２３の両側にもロール紙ガイド２８、２９が配置されている。これらのロール紙ガイド２４〜２９によって、ロール紙収納部９の両側面が規定されている。
【００３０】
図４は、ロール紙プリンタ１の本体ケース６および開閉蓋ケース７で覆われているプリンタ機構部（プリンタ本体２および開閉蓋ユニット３）を示す斜視図であり、開閉蓋ユニット３を開けた状態を示してある。
【００３１】
この図も参照して説明すると、プリンタ本体２は、ベース板４１と、このベース板４１から垂直に起立している左右の側板４２、４３と、天板４４と、左右の側板４２、４３の後側の下側部分の間にはプリンタ幅方向に架け渡された背面板４５とを備えている。天板４４の下側にはヘッド取付板４６がプリンタ幅方向に水平に架け渡されており、このヘッド取付板４６の下面に、ヘッド面が下向きのほぼ水平姿勢でサーマルヘッド１２が取り付けられている。ヘッド取付板４６の後側の部位の下側には、ロール紙収納部９の天板２２が配置されている。また、ロール紙収納部９の底板２１はベース板４１の上面に配置されている。ヘッド取付板４６の前端部の下側には記録紙切断装置１３の固定刃１４が前向きでほぼ水平に配置されている。
【００３２】
開閉蓋ユニット３は、プリンタ本体２の側板４２、４３の下端部に取り付けられている支軸５１、５２（図４においては一方の支軸５１のみを示す。）を中心として回転してプリンタ前方に所定角度だけ開くようになっている。開閉蓋ユニット３は、前板部分５３と、この両側から後方に直角に折れ曲がっている細幅の側板部分５４、５５とを備えている。前板部分５３の前面には、記録紙切断装置１３の可動刃１５および可動刃駆動機構１６が取り付けられており、これらが開閉蓋ケース７によって覆われている。開閉蓋ユニット３の側板部分５４、５５の上端部にはプラテンローラ１１が回転自在の状態で架け渡されている。
【００３３】
ここで、前板部分５３の背面側には、ロール紙収納部９の前板２３が取り付けられている。また、側板５４、５５の内側には、それぞれ、ロール紙ガイド２８、２９が配置されている。
【００３４】
このように、開閉蓋ユニット３には、ロール紙収納部９の前板２３と、プラテンローラ１１と、記録紙切断装置１３の可動刃１５が搭載されている。開閉蓋ユニット３を閉じた状態では、図２に示すように、ロール紙収納部９から印字位置Ｂおよび切断位置を経由して記録紙排出口５に至る記録紙搬送路が形成されている。開閉蓋ユニット３を開くと、図４に示すように、ロール紙収納部９がロール紙出し入れ口９ａが開放状態となると共に、記録紙搬送路が開放状態になる。したがって、ロール紙収納部９に収納されたロール紙１０から記録紙１０ａを引き出した状態で開閉蓋ユニット３を閉じると、かかる記録紙搬送路に沿って記録紙１０ａがセットされた状態を自動的に形成できる。
【００３５】
（ロール紙ガイド）
図５は開閉蓋ユニット３に取り付けられているロール紙収納部９のロール紙ガイド２９を示す図であり、（ａ）は開閉蓋ユニット３を開けた状態でプリンタ上方から見た場合の説明図であり、（ｂ）は開閉蓋ユニット３を閉めた状態でプリンタ前方から見た場合の説明図である。
【００３６】
これらの図も参照して説明すると、開閉蓋ユニット３に取り付けられている一方のロール紙ガイド２９（規制部材）は、開閉蓋ユニット３の側板部分５５の内側に沿って配置されている。開閉蓋ユニット３が開いている状態ではロール紙ガイド２９は、前後方向に延びる状態となり、開閉蓋ユニット３を閉じた状態ではロール紙収納部９の前側において上下方向に延びる状態になる。
【００３７】
図５（ｂ）に示すように、ロール紙ガイド２９には、その上下方向の中程の位置に軸穴２９ｂが形成されている。この軸穴２９ｂに対峙する前板２３の側には支軸（図示せず）が形成されており、当該支軸を中心として、ロール紙ガイド２９は、ロール紙収納部９の幅方向に揺動可能な状態で前板２３に取り付けられている。ロール紙ガイド２９と側板部分５５の間には、押さえばね３０が配置されている。押さえばね３０は軸穴２９ｂよりも上側に位置しており、ロール紙ガイド２９の上端側の部位をロール紙収納部９の幅方向の内方に向けて付勢している。
【００３８】
開閉蓋ユニット３を閉じた状態において、ロール紙ガイド２９は、プリンタ背面側に面している上下に延びるほぼ一定幅の後端面２９１と、この内側の縁に連続して、プリンタ幅方向の内方および前方に傾斜しているロール紙ガイド面２９２と、このロール紙ガイド面２９２の前側の縁からプリンタ前方に延びる平坦なロール紙ガイド面２９３とを備えている。押さえばね３０によって上端側の部位が内方に付勢されているので、図５（ａ）から分かるように、開閉蓋ユニット３を閉じたとき、ロール紙ガイド面２９３は全体として、上端に向けて内方側に僅かに傾斜している。
【００３９】
また、ロール紙ガイド２９は、そのロール紙ガイド面２９３の上端側の部分が、ロール紙収納部９に収納されたロール紙１０の端面１０ｃにおける外周側の部分に対して僅かの隙間で対峙するように配置されたロール紙規制面２９４となっている。特にロール紙１０の径が大きい場合ほど、ロール紙１０の外周側の部分が幅方向に移動してロール紙規制面２９４に当たり、ロール紙ガイド２９を側方に押し出そうとすると、押さえばね３０によるばね力が発生し、当該ばね力によって、幅方向にずれた部分が押し戻されるので、ロール紙１０の移動が抑制あるいは阻止されるようになっている。
【００４０】
これに対して、当該ロール紙ガイド２９に対峙している反対側のロール紙ガイド２８は、プリンタ前後方向に延びる一定幅の平坦なロール紙ガイド面２８１と、このロール紙ガイド面２８１の後端縁の上端部分から外方に傾斜しているロール紙ガイド面２８２とを備えており、側板部分５４の内側に固定配置されている。
【００４１】
図６はロール紙収納部９のロール紙ガイド２４〜２９の位置関係を示す説明図である。ロール紙１０の回転方向Ａに沿って見た場合に、印字位置Ｂに対して、前板側のロール紙ガイド２８、２９が上流側の最も遠い位置にあり、天板側のロール紙ガイド２６、２７が下流側の最も近い位置にあり、底板側のロール紙ガイド２４、２５がそれらの間に位置している。印字位置Ｂに最も近いロール紙ガイド２６、２７の間隔Ｗ１が最も狭く、これらのロール紙ガイド２６、２７によってロール紙１０から巻きだされて印字位置Ｂに向かう記録紙１０ａの幅方向の位置決めが精度良く行われるようになっている。
【００４２】
これに対して、これらの手前側に配置されているロール紙ガイド２４、２５は、それぞれロール紙ガイド２７、２８よりロール紙収納部９の幅方向の外側に僅かに後退した位置に配置されており、これらの間隔Ｗ２は間隔Ｗ１より僅かに広くなっている。広い間隔のロール紙ガイド２４、２５を経由して狭い間隔のロール紙ガイド２６、２７に記録紙１０ａを送り出すことにより、記録紙１０ａの幅方向の位置決めを円滑に行うことができるようになっている。
【００４３】
一方、印字位置から最も離れた位置にあるロール紙ガイド２８、２９のうち、一方のロール紙ガイド２８はロール紙ガイド２４に比べてロール紙収納部９の幅方向の外側に僅かに後退した位置に配置されている。これに対して、反対側のロール紙ガイド２９は、そのロール紙ガイド面２９３における揺動中心２９ａに対応する部分が、ロール紙ガイド２５に比べて外側に僅かに後退した位置となるように設定されている。したがって、これらの間隔Ｗ３が最も広い間隔とされている。しかるに、ロール紙ガイド２９における揺動中心２９ａより上側のロール紙規制面２９４は内方に傾斜しており、その上端部分は、ロール紙ガイド２７のガイド面とほぼ同一の位置とされている。
【００４４】
（ロール紙ガイドによる規制動作）
図６を参照してロール紙ガイド２９による記録紙１０ａの斜行規制動作を説明する。プラテンローラ１１によって記録紙１０ａの搬送が行われると、ロール紙１０が矢印Ａの方向に回転しながら記録紙１０ａが引き出される。ロール紙１０はその慣性力によって、記録紙１０ａの搬送および停止に応じて回転および停止するのに追従できず動作遅れが生ずる。特に搬送停止時にはロール紙１０がすぐに停止できず、引き続き回転するため過剰に記録紙１０ａが巻き出される。ロール紙１０の径が大きいほど、この傾向が顕著になる。このような状態が繰り返されると、ロール紙１０の外周側に巻き付けられている記録紙１０ａの部分が弛みほぐれた状態になる。この状態で記録紙１０ａの送り出しが行われると、ほぐれた記録紙１０ａの部分が幅方向にずれていき、図６において想像線１０Ａで示すような斜行状態に陥る可能性がある。
【００４５】
すなわち、間隔の広いロール紙ガイド２８、２９の間の位置において、ロール紙１０の外周側部分が弛み幅方向に大きくずれることがある。記録紙１０ａの手前側の部分は間隔の狭いロール紙ガイド２６、２７によって幅方向の位置が規制されているので、後側の部分が幅方向にずれると、記録紙１０ａが斜行状態に陥るおそれがある。
【００４６】
しかしながら、本例では、記録紙１０ａの送り出し方向の最も手前側に配置されているロール紙ガイド２８、２９のうち、一方のロール紙ガイド２９を幅方向に移動可能とし、押さえばね３０によって支持してあり、その上端側のロール紙規制面２９４がロール紙１０の外周側の部分に僅かの間隔で対峙している。よって、ロール紙１０の外周側部分の記録紙１０ａがほぐれて幅方向にずれた場合には、当該部分がロール紙ガイド２９のロール紙規制面２９４に当たる。
【００４７】
ロール紙規制面２９４が幅方向の外方に押されると、ロール紙ガイド２９はその揺動中心２９ａ回りに揺動し、これを支持している押さえばね３０が撓み、ロール紙ガイド２９を押し戻す。この結果、ロール紙規制面２９４がロール紙１０の端面に押し付けられ、記録紙１０ａが幅方向に大きくずれることが阻止あるいは抑制される。よって、記録紙１０ａが想像線１０Ａで示すような斜行状態に陥り、例えば、図３、図６において一点鎖線の丸Ｃ、Ｄ示すように、ロール紙ガイド２８と２４の段差、あるいはロール紙ガイド２４と２６の段差、すなわち、ロール紙ガイド２４あるいは２６の縁部分に記録紙１０ａの縁端が掛かり、折れ目が付いてしまうという弊害が発生しない。
【００４８】
なお、ロール紙ガイド２９のロール紙規制面２９４は、ロール紙１０の外周側の部分に対峙しているのみである。したがって、ロール紙１０が消費されてその径が小さくなると、ロール紙規制面２９４からロール紙１０の端面１０ｂが外れた状態になる。しかしながら、記録紙１０ａが弛んでほぐれて横方向にずれる現象は、ロール紙１０の慣性力が大きな初期の時点で発生する。よって、ロール紙１０が消費されて小径になった後はこのような弊害は発生しない。したがって、不必要にロール紙の端面がロール紙規制面２９４に当たって搬送抵抗が増加して紙送り精度が低下するなどの弊害も起きない。
【００４９】
また、本例では、最も広い間隔で配置されているロール紙ガイド２８、２９のうちの一方のロール紙ガイド２９を上方に延ばし、ロール紙収納部９の幅方向に揺動可能とし、押さえばね３０によって内方に付勢し、当該ロール紙ガイド２９の上端部分にロール紙規制面２９４を形成して、ロール紙の斜行を防止している。このように、ロール紙ガイドとロール紙の斜行を防止するための規制部材とを共通部品としてあるので、斜行防止機構を、簡単に構成でき、その設置スペースも少なくて済む。
【００５０】
さらに、ロール紙の交換時などにおいて、開閉蓋ユニット３を閉じる際には、間隔の狭いロール紙ガイド２８とロール紙ガイド２９の上端部分の間にロール紙１０を入れる必要がある。本例では、ロール紙ガイド面２８１、２９２を形成してあり、これらの間にロール紙を簡単に入れることができるので、開閉蓋ユニット３を閉じる際に、これらの部分にロール紙が当たり、開閉蓋ユニットを閉じる操作を円滑に行えないという弊害も発生しない。
【図面の簡単な説明】
【００５１】
【図１】本発明を適用したロール紙プリンタの外観斜視図である。
【図２】ロール紙プリンタの内部構造を示す概略構成図である。
【図３】ロール紙収納部を示す部分概略側面図である。
【図４】プリンタ機構部を示す斜視図である。
【図５】ロール紙ガイドおよびその取り付け部分を示す説明図である。
【図６】ロール紙ガイドのロール紙規制面によるロール紙の規制動作を示す説明図である。
【符号の説明】
【００５２】
１  ロール紙プリンタ、２  プリンタ本体、３  蓋開閉ユニット、５  記録紙排出口、６
本体ケース、７  蓋ケース、９  ロール紙収納部、１０  ロール紙、１０ａ  記録紙、１０ｂ，１０ｃ  端面、１０Ａ  斜行状態の記録紙、１1  プラテンローラ、１２  サーマルヘッド、２１  底板、２２  天板、２３  前板、２４，２５  ロール紙ガイド、２６，２７  ロール紙ガイド、２８，２９  ロール紙ガイド、２９２  ロール紙ガイド面、２９３  ロール紙ガイド面、２９４  ロール紙規制面、２９ａ  揺動中心、３０  押さえばね、４１  ベース板、４２，４３  側板、４４  天板、５３  前板部分、５４，５５  側板部分、Ａ  ロール紙の回転方向、Ｂ  印字位置、Ｃ，Ｄ  段差、Ｗ１〜Ｗ４  間隔
【図１】
0004802870.tif 000002
【図２】
0004802870.tif 000003
【図３】
0004802870.tif 000004
【図４】
0004802870.tif 000005
【図５】
0004802870.tif 000006
【図６】
0004802870.tif 000007